(57)【要約】【課題】液晶表示装置においてレベルシフタの設置位置を変更して、コントロールロジック段とＬＣＤ出力ドライバ段との電源レベル差を解決する駆動回路を提供する。【解決手段】本発明は、レベルシフタ(Level Shifter:Ｌ/Ｓ)を使用し、チャンネルアレイ(Channel Array)からなる回路でチップサイズを減らすのに好適であり、ノイズ免疫性(Noise Immunity)が強化された液晶表示装置の駆動回路に関し、このような本発明は、チャンネル領域の以前段に位置して、バッファーから出力されるデータ信号のレベルを上昇させて出力するレベルシフタと；前記レベルシフタの出力データをシステムで要求された形で処理した後、ハイ又はロー形の最終データに出力するチャンネル領域と；を含み、前記レベルシフタは、前記チャンネル領域でない領域に設けて構成することを特徴とする。【選択図】図２
2009516866.tif 000002
【特許請求の範囲】
【請求項１】
２つ以上の動作電圧範囲を持つ同一構造の回路が配置されたアレイ形態のチャンネル領域を持った液晶表示装置の駆動回路において、
バッファーを介して入力されるデータ信号のレベルを上昇させて出力するレベルシフタと；
前記レベルシフタの出力データをシステムで要求された形で処理して、ハイ又はロー形の最終データとして出力するチャンネル領域と；を含み、
前記レベルシフタは、前記チャンネル領域でない領域に設置することを特徴とする液晶表示装置の駆動回路。
【請求項２】
前記レベルシフタは、
低電圧レベルのＶＣＣ-ＧＮＤ信号レベルを高電圧レベルのＶＧＨ-ＶＧＬ信号レベルに上昇させて出力するように構成されたことを特徴とする請求項１に記載の液晶表示装置の駆動回路。
【請求項３】
前記ＶＣＣ-ＧＮＤは、約２.４〜３.６Ｖであることを特徴とする請求項２に記載の液晶表示装置の駆動回路。
【請求項４】
前記ＶＧＨ-ＶＧＬは、約１５〜４０Ｖであることを特徴とする請求項２に記載の液晶表示装置の駆動回路。
【請求項５】
前記チャンネル領域は、
前記レベルシフタから出力されるデータをシステムで要求された仕様による方式で出力するためのシフトレジスタと；
前記シフトレジスタの出力データをシステムで要求された方式で出力するための出力コントローラと；
前記出力コントローラの出力データをハイ又はロー形の最終データとして出力するための出力ドライバと、
を含んで構成されたことを特徴とする請求項１に記載の液晶表示装置の駆動回路。
【請求項６】
前記チャンネル領域は、
ＬＣＤ出力ドライバ段を含んで構成されたことを特徴とする請求項１に記載の液晶表示装置の駆動回路。
【発明の詳細な説明】
【技術分野】
【０００１】
本発明は、液晶表示装置の駆動回路の設計技術に関し、特に、レベルシフタ(Level Shifter:Ｌ/Ｓ）を使用し、チャンネルアレイ(Channel Array）からなる回路において、チップサイズを減らすのに好適であり、ノイズ免疫性(Noise Immunity）が強化された液晶表示装置の駆動回路に関する。
【背景技術】
【０００２】
一般的に、液晶表示装置(ＬＣＤ:Liquid Crystal Display）は、文字、記号、または、グラフィックをディスプレイするための平板ディスプレイ装置の一つであって、電気場によって分子配列が変化する液晶の光学的性質を用いて、液晶技術と半導体技術とを融合した表示装置である。
【０００３】
図１は、従来技術による液晶表示装置の駆動回路図であって、これに示しているように、入力データを一時格納するバッファー１１と；前記バッファー１１から出力されるデータを、システムで要求された仕様による方式で出力するためのシフトレジスタ１２と；前記シフトレジスタ１２から出力されるデジタルビデオ信号のレベルを上昇させて、高電圧信号として出力するレベルシフタ１３と；前記レベルシフタ１３から出力されるデータを供給され、システムで要求された方式で出力するための出力コントローラ１４と；前記出力コントローラ１４の出力データを供給され、ハイ又はロー形の最終データとして出力するための出力ドライバ１５と、から構成されたものであり、このように構成された従来の液晶表示装置の駆動回路の作用を説明すると、以下の通りである。
【０００４】
バッファー１１は、入力データを一時格納し、チャンネル領域１０のシフトレジスタ１２は、そのバッファー１１から入力されるデータを、システムで要求された仕様による方式で出力する。ここで、チャンネルとは、同じアレイ構造の一つを意味する。
【０００５】
コントロールロジック段に設けられた当該バッファー１１とシフトレジスタ１２とは、同じ電圧ＶＣＣ-ＧＮＤ(例えば、ＶＣＣ-ＧＮＤ:２.４〜３.６Ｖ)を使用する。
【０００６】
しかし、以後、ＬＣＤ出力ドライバ段に設けられた出力コントローラ１４と、出力ドライバ１５とは、当該ＶＣＣ-ＧＮＤと他の電源ＶＧＨ-ＶＧＬ(ＶＧＨ-ＶＧＬ:１５〜４０Ｖ）とを使用する。
【０００７】
したがって、当該シフトレジスタ１２と出力コントローラ１４との間にレベルシフタ１３を設け、これによって、当該シフトレジスタ１２から出力されるデジタルビデオ信号を、ＶＣＣ-ＧＮＤの低電圧レベルから当該ＶＧＨ-ＶＧＬの高電圧レベルに変換して出力するようにした。
【０００８】
当該出力コントローラ１４は、当該レベルシフタ１３から出力されるデータを供給され、システムで要求された方式で出力し、出力ドライバ１５は、当該出力コントローラ１４の出力データを供給され、ハイ又はロー形の最終データとして出力する。
【発明の開示】
【発明が解決しようとする課題】
【０００９】
このように、従来の液晶表示装置の駆動回路においては、コントロールロジック段とＬＣＤ出力ドライバ段との電源レベル差を解決するために、チャンネル領域内にレベルシフタを設けて使用するので、それにより、チップサイズが大きくなり、ノイズに弱いという問題点があった。
【００１０】
それで、本発明の目的は、液晶表示装置においてレベルシフタの設置位置を変更して、コントロールロジック段とＬＣＤ出力ドライバ段との電源レベル差を解決する駆動回路を提供することにある。
【課題を解決するための手段】
【００１１】
上記のような目的を達成するための本発明は、チャンネル領域の以前段に位置して、バッファーから出力されるデータ信号のレベルを上昇させて出力するレベルシフタと；当該レベルシフタの出力データをシステムで要求された形で処理した後、ハイ又はロー形の最終データとして出力するチャンネル領域と；を含み、当該レベルシフタは、当該チャンネル領域でない領域に設けて構成することを特徴とする。
【発明の効果】
【００１２】
以上で詳細に説明したように、本発明は、チャンネル領域の以前段にレベルシフタを設け、シフトレジスタをチャンネル領域に含めることで、チャンネル領域の集積度が向上し、ノイズに対して弱いという問題が解決される効果がある。
【発明を実施するための最良の形態】
【００１３】
以下、添付の図面を参照して、本発明に係る望ましい実施形態を詳細に説明する。
【００１４】
図２は、本発明に係る液晶表示装置の駆動回路の一実施具現例を示したブロック図であって、これに示しているように、入力データを一時格納するバッファー２１と；当該バッファー２１から出力されるデータ信号のレベルを上昇させて、高電圧信号として出力するレベルシフタ２２と；当該レベルシフタ２２から出力されるデータを、システムで要求された仕様による方式で出力するためのシフトレジスタ２３と；前記シフトレジスタ２３から出力されるデータを供給され、システムで要求された方式で出力するための出力コントローラ２４と；前記出力コントローラ２４の出力データを供給され、ハイ又はロー形の最終データとして出力するための出力ドライバ２５と、から構成したものであり、このように構成した本発明の作用を、添付の図３を参照して詳細に説明すると、以下の通りである。
【００１５】
バッファー２１は、入力データを一時格納し、レベルシフタ２２は、前記バッファー２１から出力されるデジタルビデオ信号のレベルを、ＶＣＣ-ＧＮＤ(ＶＣＣ-ＧＮＤ:２.４〜３.６Ｖ)の低電圧レベルからＶＧＨ-ＶＧＬ(ＶＧＨ-ＶＧＬ:１５〜４０Ｖ)の高電圧レベルに変換して出力する。
【００１６】
このように、本発明では、従来とは異なり、レベルシフタ２２をチャンネル領域２０に設けなく、チャンネル領域２０の以前段に設けたことが分かる。したがって、上記の説明でのように、チャンネル領域２０の以前段において、前記レベルシフタ２２によりＶＣＣ-ＧＮＤレベルの低電圧信号がＶＧＨ-ＶＧＬレベルの高電圧信号に変換された後、チャンネル領域２０のＬＣＤ出力ドライバ段に伝達される。
【００１７】
参考として、前記レベルシフタ２２は、比較的広い面積を占める素子であって、この素子が前記チャンネル領域２０から除外されるので、そのチャンネル領域２０の集積化が、それだけ容易になる。そして、Ｄａｔａ格納装置であるシフトレジスタ２３が、高電圧Ｌｅｖｅｌ(ＶＧＨ-ＶＧＬ)から構成されるので、低電圧Ｌｅｖｅｌ(ＶＣＣ-ＧＮＤ)となった回路構成に比べて、ノイズ免疫性(Noise Immunity)が強化される。
【００１８】
一方、チャンネル領域２０上において、前記シフトレジスタ２３は、前記レベルシフタ２２により高電圧の信号に変換されたデジタル信号を、システムで要求された仕様による方式で出力する。ここで、チャンネルとは、同じアレイ(array)構造の一つを意味する。
【００１９】
そして、出力コントローラ２４は、シフトレジスタ２３から出力されるデータを、システムで要求された方式で出力し、出力ドライバ２５は、前記出力コントローラ２４の出力データを供給され、ハイ又はローの最終データとして出力する。
【００２０】
一方、図３と図４は、本発明のチャンネル領域で使用する電源レベルのレイアウトを、従来と比較したものである。
【００２１】
すなわち、従来の場合、チャンネル領域内にレベルシフタ(Ｌ/Ｓ)が存在するので、図３のように、そのチャンネル領域においてＶＣＣ-ＧＮＤ及びＶＧＨ-ＶＧＬ電源を全部使用する。しかし、本発明の場合、チャンネル領域内にレベルシフタ(Ｌ/Ｓ)が存在しないので、図４のように、そのチャンネル領域においてレベルシフタ(Ｌ/Ｓ)を使用しないことによるレイアウト(Layout)面積の減少効果が現れることが分かる。
【図面の簡単な説明】
【００２２】
【図１】従来技術による液晶表示装置の駆動回路のブロック図を示したものである。
【図２】本発明に係る液晶表示装置の駆動回路のブロック図を示したものである。
【図３】本発明のチャンネル領域で使用する電源レベルのレイアウトを従来と比較したものである。
【図４】本発明のチャンネル領域で使用する電源レベルのレイアウトを従来と比較したものである。
【符号の説明】
【００２３】
２０  チャンネル領域
２１  バッファー
２２  レベルシフタ
２３  シフトレジスタ
２４  出力コントローラ
２５  出力ドライバ
【図１】
2009516866.tif 000003
【図２】
2009516866.tif 000004
【図３】
2009516866.tif 000005
【図４】
2009516866.tif 000006
【国際調査報告】
2009516866.tif 000007
2009516866.tif 000008